(57)【要約】【課題】  利用者によるランドマーク情報の追加・編集を可能とすることで、多様な情報の更新を図りながら、その更新情報の信頼性を高めることができる地図情報更新システムを提供する。【解決手段】  編集端末１は、更新情報編集処理により利用者が編集したランドマークの編集情報を情報センタ３に登録する。また、編集端末１は、更新情報選択処理により利用者が選択してランドマークの更新情報の選択情報を情報センタ３に登録する。また、受信端末２は、更新情報受信処理により情報センタ３から定期的に更新情報を受信し、更新情報を更新する。ここで、受信端末２は、更新情報のランドマークの近傍に位置したときは、更新情報評価処理により利用者による更新情報の信頼性の評価を入力可能とし、評価が入力されたときは、その評価情報を情報センタ３に登録する。そして、情報センタ３は、更新情報を編集端末１に送信するときは評価情報を付加して送信する。【選択図】  図２
2005308577.tif 000002
【特許請求の範囲】
【請求項１】
利用者により編集された地図情報の編集情報を送信する編集端末と、
この編集端末から送信された編集情報を更新情報として登録する情報センタと、
この情報センタが登録している更新情報を取得する受信端末とを備え、
前記編集端末は、前記情報センタが登録している更新情報のうち所望の更新情報を利用者が選択する入力手段と、この入力手段で選択された更新情報を送信する制御手段とを有し、
前記受信端末は、取得した更新情報の信頼性を評価する評価入力手段と、この評価入力手段に入力された評価情報を送信する制御手段とを有し、
前記情報センタは、前記受信端末から送信された評価情報を蓄積すると共に、前記編集端末に更新情報を送信する際は、蓄積した評価情報を付加して送信する更新情報編集手段と、前記受信端末に更新情報を送信する際は、前記編集端末で選択された更新情報を送信する受信対象選択手段とを有したことを特徴とする地図情報更新システム。
【請求項２】
前記受信端末は、現在位置を測定する位置測定手段を有し、
前記制御手段は、更新情報の評価情報を前記情報センタに送信する際は、信頼性の評価対象となった地図情報から前記位置測定手段が測定した現在位置が一定距離内に位置している場合に制限されていることを特徴とする請求項１記載の地図情報更新システム。
【請求項３】
前記地図情報はランドマークであることを特徴とする請求項１または２記載の地図情報更新システム。
【発明の詳細な説明】
【技術分野】
【０００１】
本発明は、情報センタに登録されたランドマークの更新情報を利用者側で選択して利用する地図情報更新システムに関する。
【背景技術】
【０００２】
カーナビゲーションシステムなど地理情報システムの発展に伴い、特許文献１、特許文献２等、地図更新情報の配信システムが提案されている。これらのシステムでは更新情報を配信側で用意しておく必要が有ることから、情報の取捨選択が一元的となること、網羅できないデータが存在すること、また更新頻度が低くなることという問題点がある。
【特許文献１】特許第２８６３１１８号公報
【特許文献２】特開平１２−２９８４２９号公報
【特許文献３】特許第３２００４１８号公報
【特許文献４】特開平１２−２９８４２９号公報
【発明の開示】
【発明が解決しようとする課題】
【０００３】
これらの問題点を解決するために、地図情報の利用者による編集を可能とし、その結果を共有化するという方法が、特許文献３、特許文献４等により提案されている。しかし、これらの提案は編集された情報の検証を行う手段がなくデータの信頼性が不確定となるため、広範囲な利用者に対して編集を可能とするには問題がある。
本発明は上記事情に鑑みてなされたもので、その目的は、利用者による地図情報の追加・編集を可能とすることで、多様な情報の更新を図りながら、その更新情報の信頼性を高めることができる地図情報更新システムを提供することにある。
【課題を解決するための手段】
【０００４】
請求項１の発明によれば、利用者が編集を行ったランドマークの編集情報を情報センタに更新情報として登録し、情報センタでは利用者が編集端末の入力手段により選択した更新情報を受信端末が起動時等に自動で受信できるように更新情報を管理する。更新情報を取得した受信端末側では、更新情報の正当性や有用性に関する評価情報を評価入力手段により情報センタ側に送信できるようにする。受信端末から送信された評価情報は情報センタによって蓄積され、利用者が受信端末に受信させる情報を選択する際の参考として、表示、絞込み検索の対象となる。
【０００５】
請求項２の発明によれば、更新されたランドマークとの距離が一定距離内にある受信端末のみ評価できるように制限することで、信頼できない評価情報を排除することができる。
請求項３の発明によれば、頻繁に更新されるランドマークの信頼性を高めることができる。
【発明を実施するための最良の形態】
【０００６】
以下、本発明をカーナビゲーションシステムに適用した一実施例を図面に基づいて説明する。図１は、全体のシステムを概略的に示している。この図１において、本カーナビゲーションシステムは、基本的には、編集端末１、受信端末２及び情報センタ３から構成されており、受信端末２が情報センタ３から後述する更新情報を取得して表示するシステムとなっている。この場合、情報センタ３には利用者の嗜好に合わせて表示画面をカストマイズすることが可能となっており、このような表示画面をカストマイズ可能とするためにカーナビゲーション装置に編集端末１と受信端末２の機能が備えられている。
【０００７】
編集端末１は、通信手段４、制御手段５、表示手段６、入力手段７を備え、通信手段４により情報センタ３との通信を行う。制御手段５は他の手段に指示を与えることにより編集端末１の処理を制御する。通信手段４により受信された情報センタ３からの表示情報が表示手段６によって利用者に提示される。提示された情報に従って利用者が入力手段７により入力を行い、その入力結果は通信手段４によって情報センタ３に送信される。これらの繰り返しで利用者との対話処理が行われる。これらの手段はカーナビゲーション装置に本来的に備えられた構成要素を利用して構成されており、特に、本実施例では、後述するように入力手段７によりランドマーク（目印）を修正、削除、追加などの更新を実行可能となっている。
【０００８】
受信端末２は、通信手段８、制御手段９、地図情報提示手段１０、評価入力手段１１、位置測定手段１２を備えていると共に、地図情報１３、更新情報１４、利用者情報１５を保持している。通信手段８は、情報センタ３との通信を行う。制御手段９は他の手段に指示を与えることにより受信端末２の処理を制御する。また、情報センタ３から受信した更新情報を受信端末２で保持していた更新情報１４に追加、更新する。地図情報提示手段１０は、更新情報１４を反映した状態で利用者に対して地図情報１３を提示する。地図情報提示手段１０は一般に地図の拡大、縮小、指定座標周辺の表示、ＰＯＩ（Point of Interest＝目的地点情報）データの名前、ジャンルなどによる検索等の機能を備える。位置測定手段１２によって受信端末２の現在の位置が測定され、地図情報提示手段１０による現在位置周辺の表示が可能となる。評価入力手段１１は利用者に対して、更新情報１４に対する評価情報の入力を可能とする。受信端末２で保持する利用者情報１５は、情報センタ３側との通信の際に利用者識別のために用いられる。
【０００９】
情報センタ３は、通信手段１６、制御手段１７、更新情報編集手段１８、更新情報送信手段１９、受信対象選択手段２０、更新情報評価手段２１、認証手段２２を備え、地図ＤＢ２３、更新情報ＤＢ２４、利用者ＤＢ２５を保持している。通信手段１６は、編集端末１、受信端末２と制御手段１７との間の通信を行う。制御手段１７は、更新情報編集手段１８、更新情報送信手段１９、受信対象選択手段２０、更新情報評価手段２１、認証手段２２に指示を与えることにより情報センタ３での処理を制御する。更新情報編集手段１８は、編集端末１に対して更新情報を編集する機能を提供する。編集結果は利用者ＤＢ２５と関連付けられて地図ＤＢ２３に格納される。更新情報送信手段１９は利用者ＤＢ２５に登録された選択情報をもとに受信端末２に更新情報を送信する。受信対象選択手段２０は、編集端末１に対して受信端末２がどの更新情報を受信するかを選択する機能を提供する。受信対象の選択では、地域、作成者、評価情報などによって絞り込んで選択することが可能である。更新情報評価手段２１は受信端末２に対して、受信した更新情報を評価する機能を提供する。認証手段２２は編集端末１および受信端末２によって送信された利用者識別情報と利用者ＤＢ２５とを照合して、正規利用者であるかを確認する機能を提供する。
【００１０】
図２は、編集端末１、受信端末２、情報センタ３間の典型的な処理の流れを示している。この図２において、編集端末１と情報センタ３との間で更新情報の編集処理が行われる。次に、編集端末１と情報センタ３との間で受信端末２が受信する更新情報の選択処理が行われる。次に、情報センタ３と受信端末２との間で更新情報の受信処理が行われる。最後に、情報センタ３と受信端末２との間で更新情報の評価処理が行われる。ここで、図２は、ある更新情報について着目した場合における各処理の順序の一例を示したもので、システム全体ではこの順序は固定されておらず、処理が必要なタイミングで実行されるようになっている。
【００１１】
図３ないし図６は、更新情報編集、更新情報選択、更新情報受信、更新情報評価の各処理のシーケンスの詳細を示している。
図３に従って更新情報編集時の処理の流れを説明する。この更新情報編集とは、利用者が編集を行ったランドマーク（目印）の更新情報を情報センタ３に登録するための処理である。
【００１２】
利用者は、ランドマークを編集したい場合は、カーナビゲーション装置の編集端末機能を呼出し、編集端末１に対して編集開始を指示する。
編集端末１は、編集開始が指示されたときは、制御手段５が通信手段４を通じて編集開始を情報センタ３に伝える。このとき同時に利用者を識別するための認証情報も編集端末１から情報センタ３に伝えられる。
【００１３】
情報センタ３では、編集端末１から認証情報を受信したときは制御手段１７によって認証手段２２に認証が依頼される。認証手段２２は、認証が依頼されたときは利用者ＤＢ２５から認証情報を得、編集端末１から送信された認証情報と照合を行う。認証情報を正しく照合できた場合には認証成功、できなかった場合は認証失敗とする。認証失敗の場合は、編集端末１に認証失敗を提示するための表示情報が送信される。
【００１４】
上述のようにして利用者の認証を成功した場合は、編集を開始するため情報センタ３の制御手段１７によって更新情報編集手段１８に対して処理が依頼される。更新情報編集手段１８は更新情報ＤＢ２４と地図ＤＢ２３から地図情報（本実施例ではランドマーク情報）を取得し、取得した地図情報をもとに編集端末１に表示するための表示情報を作成して送信する。編集端末１は、受信した表示情報を表示手段６によって利用者に表示する。
【００１５】
以上の動作により、カーナビゲーション装置には、受信した表示情報が表示されるので、利用者は、表示情報のうち所望の情報を編集する。この情報は、通信手段４を通じて編集情報として情報センタ３に伝えられる。
情報センタ３の更新情報編集手段１８は編集情報を反映した表示情報を生成して編集端末１に送信する。これにより、カーナビゲーション装置の表示に編集情報を反映することができるので、表示情報の更新と編集情報の送信によって更新情報、つまりランドマークの編集を行うことができる。
【００１６】
以上のように編集した更新情報を利用者が登録する場合、入力手段７によって登録の指示を行う。
情報センタ３の更新情報編集手段１８は、通信手段１６を通じてその指示が伝えられると、更新情報ＤＢ２４に利用者ＤＢ２５と関連付けられた状態で更新情報を格納してから、登録結果を登録確認情報として送信する。これにより、カーナビゲーション装置の表示手段６によって登録結果が表示されるので、利用者は、登録結果を確認することができる。
【００１７】
以上のようにして各利用者が行った更新情報は、登録した利用者が地図情報を個人用にカスタマイズするためのものであるが、他の利用者も次のようにして利用することができる。
図４に従って更新情報選択時の処理の流れを説明する。この更新情報選択は、利用者が更新情報を選択するための処理である。
【００１８】
利用者が更新情報を選択する場合は、編集端末１の入力手段７に対して選択開始を指示する。情報センタ３の認証手段２２への認証の依頼から、情報センタ３の制御手段１７から更新情報送信手段１９に処理が依頼されるまでは上述した更新情報編集処理と同じである。
情報センタ３の制御手段１７は、利用者の認証が成功したときは、受信対象選択手段２０に対して選択開始を要求する。受信対象選択処理は、選択開始を要求されたときは、更新情報ＤＢ２４、利用者ＤＢ２５、地図ＤＢ２３から情報を取得し、受信対象選択のための表示情報を生成し、編集端末１に通信手段１６を用いて送信する。
【００１９】
編集端末１は、表示手段６によって利用者に対する提示を行い、利用者の入力手段７による応答を待つ。利用者は、地域、作成者、評価情報を用いて受信対象、もしくは選択対象として表示する更新情報を絞り込むことが可能である。例えば特定の都道府県内の情報のみ、或いは特定の作成者による情報のみ、さらには正しいという評価が一定値（設定変更な値）以上、有用という評価の割合が一定値以上であるなどの条件を指定できる。
【００２０】
評価絞込みの指定が入力手段７によって入力された場合、通信手段４を用いて情報センタ３の受信対象選択手段２０に伝えられる。受信対象選択手段２０では、指定された絞込み条件から表示情報を再生成し編集端末１に送信する。以上の繰り返しにより利用者の絞込みが行われるので、利用者は、最終的に絞り込まれた更新情報より入力手段７によって受信対象の更新情報を選択する。
【００２１】
編集端末１は、利用者の選択を通信手段４によって選択情報として情報センタ３の受信対象選択手段２０に伝える。受信対象選択手段２０は、利用者ＤＢ２５に該当する更新情報を受信対象として登録し、登録結果を選択確認情報として送信すると、編集端末１で表示手段６によって利用者に表示される。
以上のようにして、利用者が選択した更新情報を利用者に関連付けて情報センタ３に登録することができる。
【００２２】
図５に従って、受信端末２と情報センタ３との間の更新情報受信時の処理の流れを説明する。受信端末２では端末起動時、あるいは周期的なタイミングで更新情報受信処理を開始する。この更新情報受信処理は、利用者が上述したようにして選択した更新情報を受信端末２が自動で受信できるように更新情報を管理するものである。
受信端末２の制御手段５は、所定タイミングとなると、自己が保持している利用者情報を取得し、更新要求とともに情報センタ３に送信する。
【００２３】
情報センタ３の認証手段２２への認証の依頼から、情報センタ３の制御手段１７から更新情報送信手段１９に処理が依頼されるまでは上述した更新情報編集処理と同じである。
情報センタ３の更新情報送信手段１９は、利用者の認証が終了したときは、利用者ＤＢ２５から利用者がどの更新情報を受信対象として登録しているかを取得すると共に、更新情報ＤＢ２４から実際の更新情報を取得し、取得した更新情報を受信端末２に送信する。
【００２４】
受信端末２の制御手段９は、自己に保持している更新情報に受信した更新情報を反映する。更新が完了すると、受信端末２の制御手段５から情報センタ３の更新情報送信手段１９に更新完了が伝えられるので、更新情報送信手段１９は更新の完了した更新情報を、利用者ＤＢ２５に登録された受信対象から削除する。
以上のようにして更新情報受信処理を終了するので、受信端末２の更新情報は更新され、以降において表示手段６に表示される地図情報に更新情報を反映することができる。
【００２５】
ところで、ランドマークの対象となっている施設は、新規開店或いは閉店となることが往々にあることから、それに合わせてランドマークを更新する必要がある。このような更新情報を情報センタ３で共有した場合、以降においては、情報センタ３と契約している利用者のカーナビゲーション装置では、ランドマークの更新情報を利用者の所望に応じて反映することができる。
【００２６】
しかしながら、ランドマークの更新情報を情報センタ３で共有化した場合、その更新情報が全ての利用者のカーナビゲーション装置で反映可能となることから、更新情報の信頼性が重要となる。
そこで、本実施例では、次のようにして更新情報の信頼性を高めるようにした。
図６に従って更新情報評価時の処理の流れを説明する。受信端末２の制御手段９は、周期的に位置測定手段１２に対して現在位置の測定を要求する。位置測定手段１２は、制御手段９に現在位置を応答するので、制御手段９は、車両の現在位置を取得することができる。
【００２７】
次に、制御手段９は、得られた現在位置近傍(例えば半径１００ｍ)の更新情報を自己が保持しているかを問い合わせる。該当する更新情報が現在位置近傍にない場合には以上で更新情報評価処理は終了する。これに対して、該当する更新情報が現在位置近傍に存在した場合には、各更新情報について評価入力手段１１により利用者からの評価の入力を要求する。制御手段９は、評価入力手段１１で入力された評価情報を受け取る。この評価とは、更新情報の信頼性を示すもので、例えば正誤或いは信頼性の点数で評価する。この場合、利用者が更新情報を実際に確認したときは正となり、利用者が更新情報の実際に確認できなかったときは誤となる。評価情報は正誤情報だけでなく有用性情報などを取り扱っても良い。このように有用性を評価する場合は、例えば１０点満点で評価し、更新情報を実際に確認した際に、確証が持てないときの評価に有効である。利用者によって入力された評価情報は、受信端末２が保持している利用者識別情報とともに情報センタ３に送信される。情報センタ３の認証手段２２への認証の依頼から、情報センタ３の制御手段１７から更新情報評価手段２１に処理が依頼されるまでは上述した更新情報編集処理と同じである。
【００２８】
利用者の認証が終了したときは、更新情報評価手段２１は、受信した評価情報を更新情報ＤＢ２４に反映させる。具体的には、更新情報の正誤判定結果により当該更新情報の信頼性が高いと判断される場合は、更新情報を更新情報ＤＢ２４にそのまま反映する。また、当該更新情報の信頼性が低いと判断される場合は、更新情報を更新情報ＤＢ２４に反映することを止める。この場合、信頼度を数値で示したり、信頼度に合わせたメッセージを表示したりするようにしてもよい。
以上のような動作により、情報センタ３の更新情報評価手段２１の処理が終了し、これにより、更新情報の評価を反映することができるので、更新情報の信頼性を高めることができる。
【００２９】
このような実施例によれば、絞込み選択したランドマークの更新情報を利用者に対応して情報センタ３に登録しておき、その更新情報をカーナビゲーション装置に表示するという構成において、情報センタ３に登録されている更新情報の信頼性を受信端末２で評価し、その評価結果をランドマークの更新情報に付加してカーナビゲーション装置に送信するようにしたので、更新情報を情報センタに単に登録するだけの従来例のものと違って、カーナビゲーション装置に表示されるランドマークの更新情報の信頼性を高めることができる。
しかも、上述のようにランドマークの更新情報を評価できるのは、更新情報として登録されているランドマークから一定距離内に位置しているカーナビゲーション装置のみに制限されていることから、ランドマークの更新情報の信頼性を一層高めることができる。
【００３０】
本発明は、上記実施例に限定されることなく、次のように変形または拡張できる。
編集対象の地図情報は、ランドマークに限定されることはない。
編集端末１に対する編集開始により地図情報の更新情報を情報センタ３に登録するのに代えて、表示手段６に表示されている地図情報のみを編集可能としてもよい。
カーナビゲーション装置に編集端末１及び受信端末２の機能を持たせるのに代えて、編集端末１及び受信端末２をカーナビゲーション装置と独立して設けるようにしてもよい。
【図面の簡単な説明】
【００３１】
【図１】本発明の一実施例におけるシステム全体を示す概略図
【図２】編集端末、受信端末、情報センタ間の各処理を示すタイミング図
【図３】編集端末と情報センタとの間の更新情報編集処理の手順を示す図
【図４】編集端末と情報センタとの間の更新情報選択処理の手順を示す図
【図５】受信端末と情報センタとの間の更新情報受信処理の手順を示す図
【図６】受信端末と情報センタとの間の更新情報評価処理の手順を示す図
【符号の説明】
【００３２】
図面中、１は編集端末、２は受信端末、３は情報センタ、５は制御手段、６は表示手段、７は入力手段、９は制御手段、１１は評価入力手段、１０は地図情報提示手段、１２は位置測定手段である。
【図１】
2005308577.tif 000003
【図２】
2005308577.tif 000004
【図３】
2005308577.tif 000005
【図４】
2005308577.tif 000006
【図５】
2005308577.tif 000007
【図６】
2005308577.tif 000008